(57)【要約】【課題】ユーザが所望する色空間の任意の切り口を簡単な操作で表示することが可能な表示装置を提供すること。【解決手段】表色系を構成する３つの属性パラメータのうち、第１及び第２の属性パラメータで表現される色平面を表示する色表示部と、前記色表示部が回転可能な状態で接続された基底部と、前記色表示部の回転角度に応じて前記色平面を変化させる表示制御部と、を備える、表示装置が提供される。【選択図】図２
2013168517.tif 000002
【特許請求の範囲】
【請求項１】
表色系を構成する３つの属性値のうち、第１及び第２の属性値で表現される色平面を表示する色表示部と、
前記色表示部が回転可能な状態で接続された基底部と、
前記色表示部の回転角度に応じて前記色平面を変化させる表示制御部と、
を備える、
表示装置。
【請求項２】
前記色表示部の回転角度は、前記第１及び第２の属性値とは異なる前記第３の属性値に対応付けられており、
前記表示制御部は、前記色表示部の回転角度に対応する前記第３の属性値を検出し、検出した前記第３の属性値に対応する色空間を前記色表示部に表示させる、
請求項１に記載の表示装置。
【請求項３】
前記色表示部に表示された色平面内の領域に触れることで当該色平面内の領域に対応する色を指定することが可能な入力部をさらに備える、
請求項１に記載の表示装置。
【請求項４】
前記表示制御部は、前記入力部を介して色が指定された場合に、指定された色に関する情報を前記色表示部に表示させる、
請求項３に記載の表示装置。
【請求項５】
前記表示制御部は、ユーザにより分解能が指定された場合に、前記色平面の分解能を指定された分解能に変更する、
請求項１に記載の表示装置。
【請求項６】
前記色表示部は、動作モードとして色変更モードと色固定モードとを有し、
前記色表示部が色固定モードの場合、前記表示制御部は、前記色表示部の回転角度が変更されても前記色平面を変化させない、
請求項１に記載の表示装置。
【請求項７】
前記表示装置は、互いに独立して回転可能な複数の前記色表示部を備え、
前記表示制御部は、前記各色表示部の回転角度に応じて当該各色表示部に表示される色平面を変化させる、
請求項１に記載の表示装置。
【請求項８】
前記各色表示部は、動作モードとして色変更モードと色固定モードとを有し、
１つの前記色表示部が色変更モードの場合、他の前記色表示部が色固定モードに設定され、前記表示制御部は、前記色固定モードに設定された前記他の色表示部の回転角度が変更されても当該他の色表示部に表示された色平面を変化させない、
請求項７に記載の表示装置。
【請求項９】
一の色平面を見え方の異なる他の色平面に変換するための一又は複数の変換情報を保持する変換情報保持部をさらに備え、
前記変換情報が選択された場合に、前記表示制御部は、選択された前記変換情報を利用して変換した色平面を前記色表示部に表示させる、
請求項１に記載の表示装置。
【請求項１０】
一の色平面を見え方の異なる他の色平面に変換するための一又は複数の変換情報を保持する変換情報保持部をさらに備え、
前記表示制御部は、所定のタイミングで前記変換情報を変更しながら、当該変換情報を利用して変換した色平面を前記色表示部に表示させる、
請求項１に記載の表示装置。
【請求項１１】
前記基底部は、前記色表示部を一定速度で回転させる駆動機構を有する、
請求項１に記載の表示装置。
【請求項１２】
前記入力部を介して色が指定された場合に、指定された色に関する情報を外部の機器に提供するための色情報提供部をさらに備える、
請求項３に記載の表示装置。
【請求項１３】
透明度を表すアルファ値が用意された場合に、前記表示制御部は、当該アルファ値を考慮した色平面を前記色表示部に表示させる、
請求項１に記載の表示装置。
【請求項１４】
前記入力部を介して色が指定された場合に、前記表示制御部は、指定された色以外の色を非表示にするか、或いは、指定された色の表示位置を変更するように前記色表示部を制御する、
請求項３に記載の表示装置。
【請求項１５】
前記入力部を介して指定された色の履歴を保持する履歴保持部をさらに備え、
前記基底部は、前記色の履歴から色が選択された場合に、選択された色を含む色平面に対応する回転角度の位置に前記色表示部を移動させる駆動機構を有し、
前記表示制御部は、前記選択された色を含む色平面を前記色表示部に表示させる、
請求項３に記載の表示装置。
【請求項１６】
画像を入力するための画像入力部と、
入力された画像の中で最も出現頻度の高い色相を抽出する画像解析部と、
前記最も出現頻度の高い色相に対応する色平面を選択する色平面選択部と、
をさらに備え、
前記表示制御部は、前記色平面選択部により選択された色平面を前記色表示部に表示させる、
請求項１に記載の表示装置。
【請求項１７】
表色系を構成する３つの属性値のうち、第１及び第２の属性値で表現される色平面を表示する色表示部と、前記色表示部が回転可能な状態で接続された基底部と、を有する表示装置が、前記色表示部の回転角度に応じて前記色平面を変化させることを含む、
表示方法。
【発明の詳細な説明】
【技術分野】
【０００１】
本技術は、表示装置、及び表示方法に関する。
【背景技術】
【０００２】
カラーコレクションに代表されるように、映像表現や出版関係の分野において、色の指定は重要な要素である。色を指定する際、色の要素を表す３つの属性値で表現された３次元の色空間を考える。色空間の表現方法としては、例えば、加法混色の表現法であるＲＧＢ、減法混色の表現法であるＣＭＹ、色見本などで利用されるＨＳＶなどがある。さらに、ＲＧＢに加えてアルファチャンネル（透明度の尺度）を考慮に入れたＡＲＧＢや、ＣＭＹに黒色を加えたＣＭＹＫなどの表現法も広く利用されている。【０００３】
こうした３次元の色空間をコンピュータの２次元ディスプレイ上で表現し、その色空間から所望の色を指定できるようにするには、色の指定に利用するユーザインターフェースに工夫を凝らす必要がある。例えば、下記の特許文献１には、ＨＳＶで表現される色空間から色を選択するためのグラフィカルユーザインターフェース（以下、ＧＵＩ）が記載されている。例えば、同文献の図１９に記載のＧＵＩは、色相、彩度、明度をそれぞれスライドバーにより指定できるようにしている。
【先行技術文献】
【特許文献】
【０００４】
【特許文献１】特開２００７−０９６６１２号公報
【発明の概要】
【発明が解決しようとする課題】
【０００５】
しかしながら、上記の文献に記載のＧＵＩには、実際に色を確認しながら色を指定する機能がない。また、３次元的に表現された色空間から直接的に色を指定するという観点については全く考慮されていない。なお、カラーコレクションなどの分野において、色指定を行う際には、１次元又は２次元で表現された多数の色見本帳やマンセルチャートなどが利用される。しかし、色の分解能を上げようとすると、非常に多くの色見本やマンセルチャートの紙が必要になり、広い場所が必要であったり、所望の色を検索するのが困難になったりしてしまう。【０００６】
そこで、本技術は、上記のような事情を受けて考案されたものであり、高分解能の色空間を省スペースで表現することが可能な、新規かつ改良された表示装置、及び表示方法を提供することを意図している。
【課題を解決するための手段】
【０００７】
本技術のある観点によれば、表色系を構成する３つの属性値のうち、第１及び第２の属性値で表現される色平面を表示する色表示部と、前記色表示部が回転可能な状態で接続された基底部と、前記色表示部の回転角度に応じて前記色平面を変化させる表示制御部と、を備える、表示装置が提供される。【０００８】
また、本技術の別の観点によれば、表色系を構成する３つの属性値のうち、第１及び第２の属性値で表現される色平面を表示する色表示部と、前記色表示部が回転可能な状態で接続された基底部と、を有する表示装置が、前記色表示部の回転角度に応じて前記色平面を変化させることを含む、表示方法が提供される。
【発明の効果】
【０００９】
以上説明したように本技術によれば、高分解能の色空間を省スペースで表現することが可能になる。
【図面の簡単な説明】
【００１０】
【図１】色見本の構成例を示した説明図である。
【図２】本技術の第１実施形態に係る表示装置の構成例を示した説明図である。
【図３】同実施形態に係る表示装置の一構成例を示した説明図である。
【図４】同実施形態に係る表示装置の一動作例を示した説明図である。
【図５】同実施形態に係る表示装置の一構成例を示した説明図である。
【図６】同実施形態に係る表示装置の一動作例を示した説明図である。
【図７】同実施形態に係る表示装置の一構成例を示した説明図である。
【図８】同実施形態に係る表示装置の一動作例を示した説明図である。
【図９】同実施形態に係る表示装置の一構成例を示した説明図である。
【図１０】同実施形態に係る表示装置の一構成例を示した説明図である。
【図１１】同実施形態に係る表示装置の一動作例を示した説明図である。
【図１２】同実施形態に係る表示装置の一動作例を示した説明図である。
【図１３】同実施形態に係る表示装置の一動作例を示した説明図である。
【図１４】同実施形態に係る表示装置の一動作例を示した説明図である。
【図１５】同実施形態に係る表示装置の一動作例を示した説明図である。
【図１６】同実施形態に係る表示装置の一動作例を示した説明図である。
【図１７】同実施形態に係る表示装置の一構成例を示した説明図である。
【図１８】同実施形態に係る表示装置の一動作例を示した説明図である。
【図１９】同実施形態に係る表示装置の一動作例を示した説明図である。
【図２０】同実施形態に係る表示装置の一構成例を示した説明図である。
【図２１】同実施形態に係る表示装置の一構成例を示した説明図である。
【図２２】同実施形態に係る表示装置の一動作例を示した説明図である。
【図２３】同実施形態に係る表示装置の一動作例を示した説明図である。
【図２４】同実施形態に係る表示装置の一構成例を示した説明図である。
【図２５】同実施形態に係る表示装置の一動作例を示した説明図である。
【図２６】同実施形態に係る表示装置の一構成例を示した説明図である。
【図２７】同実施形態に係る表示装置の一動作例を示した説明図である。
【図２８】同実施形態に係る表示装置の一動作例を示した説明図である。
【図２９】同実施形態に係る表示装置の一構成例を示した説明図である。
【図３０】同実施形態に係る表示装置の一動作例を示した説明図である。
【図３１】同実施形態に係る表示装置の一動作例を示した説明図である。
【図３２】本技術の第２実施形態に係る表示装置の一構成例を示した説明図である。
【図３３】同実施形態に係る表示装置の一構成例を示した説明図である。
【図３４】同実施形態に係る表示装置の一動作例を示した説明図である。
【図３５】同実施形態に係る表示装置の一構成例を示した説明図である。
【図３６】同実施形態に係る表示装置の一動作例を示した説明図である。
【図３７】本技術の第１及び第２実施形態に係る表示装置の機能を実現することが可能なハードウェア構成例を示した説明図である。
【発明を実施するための形態】
【００１１】
以下に添付図面を参照しながら、本技術に係る好適な実施の形態について詳細に説明する。なお、本明細書及び図面において、実質的に同一の機能構成を有する構成要素については、同一の符号を付することにより重複説明を省略する。
【００１２】
［説明の流れについて］
ここで、以下に記載する説明の流れについて簡単に述べる。
【００１３】
まず、図１を参照しながら、マンセル色票の構成例、及び透明プレートを利用した回転式色見本帳について紹介する。次いで、図２〜図３１を参照しながら、本技術の第１実施形態に係る表示装置１００の様々な構成例について説明する。次いで、図３２〜図３６を参照しながら、本技術の第２実施形態に係る表示装置２００の様々な構成例について説明する。次いで、図３７を参照しながら、表示装置１００、２００が有する制御機能及び演算機能などを実現することが可能なハードウェア構成例について説明する。最後に、同実施形態の技術的思想について纏め、当該技術的思想から得られる作用効果について簡単に説明する。
【００１４】
（説明項目）
０：はじめに
１：第１実施形態（色平面が１枚の場合）
１−１：表示装置１００の基本構成
１−１−１：外観及び表示動作
１−１−２：機能構成
１−１−３：動作
１−１−４：変形例１（自動駆動）
１−１−５：変形例２（情報端末を利用する構成）
１−２：入力機能を搭載した表示装置１００の構成
１−２−１：機能構成
１−２−２：動作
１−２−３：色指定時の表示動作
１−２−４：履歴機能
１−２−５：外部出力機能
１−２−６：混色機能
１−３：分解能切り替え機能を搭載した表示装置１００の構成
１−３−１：分解能切り替え機能について
１−３−２：機能構成
１−３−３：動作
１−４：モード切り替え機能を搭載した表示装置１００の構成
１−４−１：モード切り替え機能について
１−４−２：機能構成
１−４−３：動作
１−５：色空間変換機能を搭載した表示装置１００の構成
１−５−１：色空間変換機能について
１−５−２：機能構成
１−５−３：動作１（手動切り替え）
１−５−４：動作２（時分割切り替え）
１−６：画像入力機能を搭載した表示装置１００の構成
１−６−１：画像入力機能について
１−６−２：機能構成
１−６−３：動作
１−６−４：変形例（文字入力への応用）
２：第２実施形態（色平面が複数枚の場合）
２−１：表示装置２００の基本構成
２−１−１：外観及び表示動作
２−１−２：機能構成
２−１−３：動作
２−２：モード切り替え機能を搭載した表示装置２００の構成
２−２−１：モード切り替え機能について
２−２−２：機能構成
２−２−３：動作
２−３：各種機能の組み合わせ
２−３−１：入力機能との組み合わせ
２−３−２：分解能切り替え機能との組み合わせ
２−３−３：色空間変換機能との組み合わせ
２−３−４：画像入力機能との組み合わせ
３：ハードウェア構成例
４：まとめ
【００１５】
＜０：はじめに（図１）＞
まず、図１を参照しながら、マンセル色票の構成例について述べ、さらに、透明プレートを利用した回転式色見本帳について紹介する。なお、本稿ではマンセル表色系（ＨＳＶ色空間）の場合を例に挙げて説明するが、ＲＧＢ表色系、ＸＹＺ表色系、ｘｙＹ表色系、Ｌ＊ｕ＊ｖ＊表色系、Ｌ＊ａ＊ｂ＊表色系など、様々な表色系の色空間に対しても本稿で説明する技術を適用することが可能である。
【００１６】
マンセル表色系は、色相、明度、彩度の３属性で色空間を表現する。そのため、マンセル表色系で所望の色を指定する場合、マンセル色相環などを用いて色相を指定し、その色相に対応するマンセル色票から所望の色を指定する。マンセル色票は、図１右図のような構成を有し、横軸を彩度、縦軸を明度とする色マップである。マンセル色票は、マンセル色相環で表現された色相の数だけ用意される。そのため、マンセル色相環で表現される色相の数が多くなると（色相に関する分解能が高くなると）、用意すべきマンセル色票の数が多くなる。また、マンセル色相環は１次元マップであり、マンセル色票は２次元マップであるため、これらを組み合わせて３次元的な色空間をイメージするのは難しい。
【００１７】
そこで、図１に示すような回転式色見本帳が考案された。この回転式色見本帳は、設置台１１、回転軸１２、及び複数の色表示プレート１３により構成される。色表示プレート１３は、例えば、マンセル色票が印刷された透明のガラス板などで構成される。回転軸１２を中心軸として各色表示プレート１３が回転できるように構成することで、高い操作性が実現される。また、互いに異なる色相に対応する複数の色表示プレート１３が設けられることで、３次元的な色空間をイメージすることができる。
【００１８】
しかしながら、分解能を高めるためには、色表示プレート１３の枚数を増やす必要がある。もちろん、色表示プレート１３の枚数が増えても、設置面積が広がるわけではないが、色表示プレート１３の密度が高くなるため、操作性や視認性が低くなってしまう。また、色表示プレート１３の枚数が増えると高コストにも繋がる。そこで、本件発明者は、マンセル色票のような色平面を電子的に表示し、高分解能にしても操作性や視認性の低下を招かずに済む表示装置（後述する表示装置１００、２００）を考案した。以下、この表示装置の構成について説明する。
【００１９】
＜１：第１実施形態（色平面が１枚の場合）＞
以下、本技術の第１実施形態について説明する。本実施形態は、色平面を表示する表示デバイス（色表示部１０２）を１枚設けた表示装置１００の構成に関する。
【００２０】
［１−１：表示装置１００の基本構成］
本実施形態に係る表示装置１００の基本構成について説明する。
【００２１】
（１−１−１：外観及び表示動作（図２〜図４））
図２に示すように、本実施形態に係る表示装置１００は、基底部１０１、及び、回転軸Ｐを基準に回転可能な状態で基底部１０１に接続された色表示部１０２を有する。色表示部１０２は、マンセル色票などの色平面を表示可能な表示デバイスである。色表示部１０２としては、例えば、液晶ディスプレイや有機電界発光ディスプレイなどの薄型ディスプレイを利用することができる。また、色表示部１０２の形態としては、例えば、有機薄膜トランジスタで構成されるフレキシブルディスプレイなどが適用可能である。
【００２２】
色表示部１０２に表示される色平面は、色表示部１０２の回転角度に応じて変化するように構成されている。具体的には、図３に示すように、ある基準方向Ｓが設定されており、その基準方向Ｓに対する回転角度に応じて色表示部１０２に表示される色平面が変化する。例えば、ある基準方向Ｓからの回転角度と色相とが対応付けられており、基準方向Ｓからの回転角度に応じて、図４に示すように、その回転角度に対応する色相のマンセル色票が色表示部１０２に表示される。図４の例では、色表示部１０２の回転により、色相Ｒに対応するマンセル色票が表示された状態から色相Ｙに対応するマンセル色票が表示された状態に色表示部１０２の表示内容が変化した様子を示している。
【００２３】
上記のように、表示装置１００は、色表示部１０２の回転操作により色表示部１０２に表示される色平面の内容を変化させる機能を有する。なお、色表示部１０２の回転に伴って色平面が連続的に変化するように構成してもよいし、離散的に変化するように変化するように構成してもよい。また、離散的に変化するように構成する場合、その変化量（例えば、回転角度幅と色相の変化幅との対応関係）は、任意に設定することが可能である。つまり、本実施形態に係る表示装置１００は、操作性や視認性などの要素を犠牲にせずに高い分解能を実現することが可能である。以下、この基本構成を有する表示装置１００の機能構成について、より詳細に説明する。
【００２４】
（１−１−２：機能構成（図５））
図５を参照しながら、基本構成を有する表示装置１００の機能構成について説明する。図５に示すように、この表示装置１００は、主に、基底部１０１と、色表示部１０２と、角度検知部１０３と、色平面計算部１０４とを有する。角度検知部１０３は、基準方向Ｓを基準とした色表示部１０２の回転角度を検知する手段である。角度検知部１０３により検知された回転角度は、色平面計算部１０４に入力される。色平面計算部１０４は、入力された回転角度に対応する色相を選択し、選択した色相に対応する色平面を計算する。さらに、色平面計算部１０４は、計算した色平面を色表示部１０２に表示させる。なお、色平面計算部１０４は、透明度を表すアルファ値を考慮して色平面を表示してもよい。
【００２５】
（１−１−３：動作（図６））
次に、図６を参照しながら、基本構成を有する表示装置１００の動作について説明する。図６に示すように、まず、表示装置１００は、角度検知部１０３の機能により、色表示部１０２の変位を検出する（Ｓ１０１）。次いで、表示装置１００は、角度検知部１０３の機能により、基準位置（基準方向Ｓ）からの色表示部１０２の回転角度を取得する（Ｓ１０２）。次いで、表示装置１００は、色平面計算部１０４の機能により、ステップＳ１０２で取得した回転角度に対応する色相を選択する（Ｓ１０３）。次いで、表示装置１００は、色平面計算部１０４の機能により、選択した色相に対応する色平面を決定する（Ｓ１０４）。次いで、表示装置１００は、色平面計算部１０４の機能により、ステップＳ１０４で決定した色平面で色表示部１０２の表示内容を更新し（Ｓ１０５）、一連の動作を終了する。なお、色表示部１０２の変位が検出される度に、ステップＳ１０１〜Ｓ１０５の動作が実行される。
【００２６】
（１−１−４：変形例１（自動駆動）（図７及び図８））
上記の説明においては、色表示部１０２の変位をユーザが手作業で行うことを想定していたが、色表示部１０２を自動的に駆動する機能を表示装置１００に追加してもよい。この場合（変形例１）、表示装置１００の機能構成は、図７のように変形される。変形例１において、表示装置１００は、図７に示すように、基底部１０１、色表示部１０２、角度検知部１０３、色平面計算部１０４、駆動部１１１により構成される。この場合、色表示部１０２は、駆動部１１１を介して基底部１０１に接続される。そして、駆動部１１１は、モータなどの駆動機構を利用して色表示部１０２を回転駆動する。
【００２７】
また、変形例１に係る表示装置１００の動作は、例えば、図８のようになる。図８に示すように、表示装置１００は、色表示部１０２の回転駆動を開始すると（Ｓ１１１）、角度検知部１０３の機能により、基準位置（基準方向Ｓ）からの色表示部１０２の回転角度を取得する（Ｓ１１２）。次いで、表示装置１００は、色平面計算部１０４の機能により、ステップＳ１１２で取得した回転角度に対応する色相を選択する（Ｓ１１３）。次いで、表示装置１００は、色平面計算部１０４の機能により、選択した色相に対応する色平面を決定する（Ｓ１１４）。次いで、表示装置１００は、色平面計算部１０４の機能により、ステップＳ１１４で決定した色平面で色表示部１０２の表示内容を更新する（Ｓ１１５）。
【００２８】
次いで、表示装置１００は、駆動停止の操作が行われたか否かを判定する（Ｓ１１５）。駆動停止の操作が行われた場合、表示装置１００は、一連の処理を終了する。一方、駆動停止の操作が行われていない場合、表示装置１００は、処理をステップＳ１１２に進める。なお、色表示部１０２を自動的に回転駆動する場合、その回転速度や回転方向などのパラメータは、ユーザが自由に設定できるように構成されていることが好ましい。また、ユーザが色表示部１０２の動作を手で停止させた場合に、色表示部１０２の回転駆動が停止されるように構成されていてもよい。また、回転駆動中に回転方向が所定のタイミングで変更されたり、回転速度が連続的に変化したりするように構成されていてもよい。
【００２９】
（１−１−５：変形例２（情報端末を利用する構成）（図９））
ここで、色表示部１０２の形態について１つの変形例（変形例２）を紹介する。これまで色表示部１０２が表示装置１００に接続されたディスプレイデバイスであることを想定して説明を進めてきた。しかし、図９に示すように、情報端末を色表示部１０２として利用するように構成されていてもよい。この場合、色表示部１０２として利用される情報端末は、基底部１０１との間で着脱可能な構造を介して機械的に接続される。また、この情報端末は、表示装置１００を構成する色平面計算部１０４などの構成要素と電気的に接続されているか、或いは、無線通信などの機能を利用して通信可能な構成を有する。なお、回転時の安定性を考慮し、情報端末を縦方向に貫く中心軸を基準に回転可能な構成とされていることが好ましい。また、図９の例では、情報端末を例に挙げて説明しているが、ゲーム機、携帯電話、カーナビゲーションシステムなどの電子機器で代用することも可能である。
【００３０】
以上、表示装置１００の基本構成について説明した。
【００３１】
［１−２：入力機能を搭載した表示装置１００の構成］
次に、入力機能を搭載した表示装置１００の構成について説明する。この表示装置１００は、色を指定するための入力装置として機能する。
【００３２】
（１−２−１：機能構成（図１０））
図１０を参照しながら、入力構成を搭載した表示装置１００の機能構成について説明する。図１０に示すように、この表示装置１００は、主に、基底部１０１と、色表示部１０２と、角度検知部１０３と、色平面計算部１０４と、タッチパネル１２１とを有する。角度検知部１０３は、基準方向Ｓを基準とした色表示部１０２の回転角度を検知する手段である。角度検知部１０３により検知された回転角度は、色平面計算部１０４に入力される。色平面計算部１０４は、入力された回転角度に対応する色相を選択し、選択した色相に対応する色平面を計算する。さらに、色平面計算部１０４は、計算した色平面を色表示部１０２に表示させる。また、タッチパネル１２１を介して色表示部１０２に表示された色平面の領域がタッチされると、タッチされた領域の色が選択される。なお、タッチパネル１２１がタッチされたタイミングで色表示部１０２の回転動作がロックされるように構成されていてもよい。
【００３３】
（１−２−２：動作）
また、入力機能を搭載した表示装置１００による色平面の表示動作は、図６に示した基本動作と実質的に同じであるため、ここでは詳細な説明を省略する。
【００３４】
（１−２−３：色指定時の表示動作（図１１〜図１６））
ここで、図１１〜図１６を参照しながら、色指定時における表示装置１００の動作について説明する。なお、以下に示す主な処理は、タッチパネル１２１及び色表示部１０２の機能により実現される。
【００３５】
（色情報の表示（図１１、図１２））
まず、色情報の表示に関する動作について説明する。図１１に示すように、タッチパネル１２１を介して色表示部１０２に表示された色平面がタッチされると、表示装置１００は、色平面のタッチを検出する（Ｓ１２１）。次いで、表示装置１００は、タッチされた領域の色を検出する（Ｓ１２２）。次いで、表示装置１００は、ステップＳ１２２で検出した色の色情報を取得する（Ｓ１２３）。このとき、表示装置１００は、筐体の内部又は外部に接続された記録装置に記録された色情報の中から、検出した色の色情報を取得する。次いで、表示装置１００は、図１２に示すように、ステップＳ１２３で取得した色情報を色表示部１０２に表示し（Ｓ１２４）、色情報の表示に係る一連の処理を終了する。図１２の例では、色のコードを表す色情報ＣＷが色表示部１０２に表示されている。
【００３６】
（指定色以外を消去（図１３、図１４））
次に、色指定時の表示動作について説明する。図１３に示すように、タッチパネル１２１を介して色表示部１０２に表示された色平面がタッチされると、表示装置１００は、色平面へのタッチを検出する（Ｓ１３１）。次いで、表示装置１００は、タッチされた領域の色を検出する（Ｓ１３２）。次いで、表示装置１００は、図１４に示すように、ステップＳ１３２で検出した色以外の色を消去し（Ｓ１３３）、色指定時の表示動作に関する一連の処理を終了する。なお、タッチパネル１２１から指が離れたタイミングで、ステップＳ１３３で消去した指定色以外の色が再表示されるように構成されていてもよい。
【００３７】
（指定色の表示位置を変更（図１５、図１６））
次に、色指定時の別の表示動作について説明する。図１５に示すように、タッチパネル１２１を介して色表示部１０２に表示された色平面がタッチされると、表示装置１００は、色平面へのタッチを検出する（Ｓ１４１）。次いで、表示装置１００は、タッチされた領域の色を検出する（Ｓ１４２）。次いで、表示装置１００は、図１６に示すように、ステップＳ１４２で検出した色領域の表示位置を移動し（Ｓ１４３）、色指定時の表示動作に関する一連の処理を終了する。なお、タッチパネル１２１から指が離れたタイミングで、ステップＳ１４３で移動した色領域の表示位置を戻すように構成されていてもよい。
【００３８】
（１−２−４：履歴機能（図１７〜図１９））
ここで、図１７〜図１９を参照しながら、色指定操作の履歴を保持しておく機能を搭載した表示装置１００の構成及び動作について説明する。
【００３９】
（表示装置１００の構成（図１７））
図１７に示すように、履歴機能を搭載した表示装置１００は、主に、基底部１０１と、色表示部１０２と、角度検知部１０３と、色平面計算部１０４と、タッチパネル１２１と、履歴管理部１２２と、駆動部１２３とを有する。角度検知部１０３は、基準方向Ｓを基準とした色表示部１０２の回転角度を検知する手段である。角度検知部１０３により検知された回転角度は、色平面計算部１０４に入力される。色平面計算部１０４は、入力された回転角度に対応する色相を選択し、選択した色相に対応する色平面を計算する。さらに、色平面計算部１０４は、計算した色平面を色表示部１０２に表示させる。また、タッチパネル１２１を介して色表示部１０２に表示された色平面の領域がタッチされると、タッチされた領域の色が選択される。
【００４０】
さらに、タッチパネル１２１を介して色が指定されると、指定された色の情報は、色指定操作の履歴として履歴管理部１２２に入力され、履歴管理部１２２により保持される。また、色指定操作が行われた時点で色表示部１０２に表示されている色平面の情報が履歴管理部１２２に入力され、履歴管理部１２２により保持される。例えば、色指定操作が行われた時点における色相の情報、回転角度の情報、色平面の構成を示す情報などが履歴管理部１２２により保持される。また、履歴の中からユーザにより色が指定されると、その色と共に保持された情報が読み出され、色表示部１０２の表示内容に反映される。例えば、履歴管理部１２２は、履歴の中から色が指定されると、駆動部１２３を駆動して、その色を含む色平面を色表示部１０２に表示させ、さらに、その色平面に対応する回転角度に色表示部１０２の位置を移動させる。
【００４１】
（履歴の記録動作（図１８））
ここで、図１８を参照しながら、履歴の記録動作について説明する。図１８に示すように、タッチパネル１２１を介して色表示部１０２に表示された色平面がタッチされると、表示装置１００は、色平面へのタッチを検出する（Ｓ１５１）。次いで、表示装置１００は、タッチされた領域の色を検出する（Ｓ１５２）。次いで、表示装置１００は、履歴管理部１２２の機能により、ステップＳ１５２で検出された色の情報、色相の情報、回転角度の情報、色平面の構成を示す情報などを記録装置に記録し（Ｓ１５３）、履歴の記録動作に関する一連の処理を終了する。
【００４２】
（履歴の読み出し動作（図１９））
次に、図１９を参照しながら、履歴の読み出し動作について説明する。図１９に示すように、履歴の読み出し要求を取得すると（Ｓ１６１）、表示装置１００は、履歴管理部１２２の機能により、ステップＳ１６１で要求された色を含む色平面を抽出する（Ｓ１６２）。次いで、表示装置１００は、駆動部１２３の機能により、ステップＳ１６２で抽出した色平面に対応する位置に色表示部１０２を回転させる（Ｓ１６３）。次いで、表示装置１００は、ステップＳ１６３で抽出した色平面を色表示部１０２に表示し（Ｓ１６４）、履歴の読み出し動作に関する一連の処理を終了する。なお、ステップＳ１６３、Ｓ１６４の処理順序は交換可能である。
【００４３】
（１−２−５：外部出力機能（図２０））
さて、これまでは指定色の情報を表示に利用することを念頭において説明を進めてきたが、この表示装置１００を入力装置として利用する場合、指定色の情報を外部の機器に出力できるようにしておく方が好ましい。例えば、図２０に示すように、タッチパネル１２１を介して指定された色の情報が色表示部１０２に入力され、有線（例えば、ＵＳＢ、ＩＥＥＥ１３９４、ＬＡＮなど）又は無線通信（例えば、ＷＬＡＮ、ＩｒＤＡ、Ｂｌｕｅｔｏｏｔｈ、携帯電話回線など）により外部の機器に提供されるように構成されていることが好ましい。なお、図２０の例では、外部の機器としてパーソナルコンピュータが描画されているが、携帯電話、情報端末、ゲーム機などの機器に指定色の情報が提供されるように構成されていてもよい。
【００４４】
（１−２−６：混色機能）
ところで、上記の説明においては、１つの色を指定する操作を念頭において説明を進めてきたが、表示装置１００は、複数の色を選択できるように構成されていてもよい。例えば、複数の色が選択された場合に、選択された複数の色が混色され、混色後の色が色表示部１０２に表示されるように構成されていてもよい。また、タッチパネル１２１に対する押圧力に応じた比率で複数の色が混色されるように構成されていてもよい。また、混色後の色を含む色平面が選択され、その色平面が色表示部１０２に表示されるように構成されていてもよい。その際、選択された色平面に対応する回転角度に色表示部１０２が自動的に移動されるように構成されていてもよい。この場合、タッチパネル１２１から指が離れた後で色表示部１０２が移動されるように構成されている方が好ましい。
【００４５】
以上、入力機能を搭載した表示装置１００の構成及び動作について説明した。
【００４６】
［１−３：分解能切り替え機能を搭載した表示装置１００の構成］
次に、分解能切り替え機能を搭載した表示装置１００の構成について説明する。
【００４７】
（１−３−１：分解能切り替え機能について）
図１などに示したように、マンセル色票は、例えば、彩度を横軸、明度を縦軸とするマトリックスで色平面を表現している。そのため、彩度の間隔及び明度の間隔（分解能）を調整することにより各マンセル色票で表現可能な色の種類数を制御することが可能である。また、マンセル色票は色相毎に設けられており、色相の分解能（切り替え可能な色相の数）に応じて切り替え可能なマンセル色票の数が異なる。なお、通常は彩度を０〜１４（但し、色相に応じて最大値が異なる。）、明度を１〜９．５の各段階に分けて色平面を表示する。以下では、上記のような分解能の切り替え機能を搭載した表示装置１００の構成及び動作について説明する。
【００４８】
（１−３−２：機能構成（図２１））
図２１を参照しながら、分解能切り替え機能を搭載した表示装置１００の機能構成について説明する。図２１に示すように、この表示装置１００は、主に、基底部１０１と、色表示部１０２と、角度検知部１０３と、色平面計算部１０４と、タッチパネル１３１と、分解能入力部１３２とを有する。角度検知部１０３は、基準方向Ｓを基準とした色表示部１０２の回転角度を検知する手段である。角度検知部１０３により検知された回転角度は、色平面計算部１０４に入力される。色平面計算部１０４は、入力された回転角度に対応する色相を選択し、選択した色相に対応する色平面を計算する。さらに、色平面計算部１０４は、計算した色平面を色表示部１０２に表示させる。また、タッチパネル１３１を介して色表示部１０２に表示された色平面の領域がタッチされると、タッチされた領域の色が選択される。なお、タッチパネル１３１がタッチされたタイミングで色表示部１０２の回転動作がロックされるように構成されていてもよい。
【００４９】
また、分解能入力部１３２を介して分解能が指定されると、指定された分解能の情報が色平面計算部１０４に入力される。そして、色平面計算部１０４は、入力された分解能となるように色平面の構成を再計算し、再計算後の色平面を色表示部１０２に表示する。なお、タッチパネル１３１を用いて分解能の情報を入力できるように構成されていてもよい。また、色平面の分解能に関する情報が入力された場合も、色相の分解能に関する情報が入力された場合も、同様に、色平面計算部１０４により色平面の再計算が行われ、色表示部１０２の表示内容に反映される。
【００５０】
（１−３−３：動作（図２２、図２３））
次に、図２２及び図２３を参照しながら、分解能の情報が入力された場合における表示装置１００の動作について説明する。図２２に示すように、まず、表示装置１００は、分解能入力部１３２の機能により、分解能の情報を取得する（Ｓ１７１）。次いで、表示装置１００は、色平面計算部１０４の機能により、ステップＳ１７１で取得した分解能の情報に基づいて当該分解能に対応する色平面を再計算する（Ｓ１７２）。次いで、表示装置１００は、図２３に示すように、ステップＳ１７２で再計算した色平面を色表示部１０２に表示し（Ｓ１７３）、分解能の情報が入力された場合の動作に係る一連の処理を終了する。
【００５１】
以上、分解能切り替え機能を搭載した表示装置１００の構成及び動作について説明した。
【００５２】
［１−４：モード切り替え機能を搭載した表示装置１００の構成］
次に、モード切り替え機能を搭載した表示装置１００の構成について説明する。
【００５３】
（１−４−１：モード切り替え機能について）
これまでは色表示部１０２の回転角度に応じて色平面が変化する構成について説明してきた。しかし、所望の色平面が得られた場合、その色平面の表示を固定しておきたい場合がある。そのような場合に、何らかの理由により色表示部１０２が回転し、色平面が変化してしまうのは好ましくない。そこで、本件発明者は、色表示部１０２の回転に応じて色平面を変化させることが可能な色変更モードと、色表示部１０２の回転にかかわらず色平面が固定される色固定モードとを切り替える機能を考案した。以下、このモード切り替え機能を搭載した表示装置１００の構成及び動作について説明する。
【００５４】
（１−４−２：機能構成（図２４））
図２４を参照しながら、モード切り替え機能を搭載した表示装置１００の機能構成について説明する。図２４に示すように、この表示装置１００は、主に、基底部１０１と、色表示部１０２と、角度検知部１０３と、色平面計算部１０４と、モード切り替え部１４１とを有する。角度検知部１０３は、基準方向Ｓを基準とした色表示部１０２の回転角度を検知する手段である。角度検知部１０３により検知された回転角度は、色平面計算部１０４に入力される。色平面計算部１０４は、入力された回転角度に対応する色相を選択し、選択した色相に対応する色平面を計算する。さらに、色平面計算部１０４は、計算した色平面を色表示部１０２に表示させる。
【００５５】
また、モード切り替え部１４１は、動作モードが色固定モードに設定された場合、動作モードを通知するための通知信号を色表示部１０２、角度検知部１０３、及び色平面計算部１０４に入力し、色表示部１０２の回転に応じて色平面が変化しないように制御する。一方で、モード切り替え部１４１は、動作モードが色変更モードに設定された場合、動作モードを通知するための通知信号を色表示部１０２、角度検知部１０３、及び色平面計算部１０４に入力し、色表示部１０２の回転に応じて色平面が変化するように制御する。このように、動作モードを制御できるようにすることで、色表示部１０２に表示された色平面の表示を固定したり、可変にしたり切り替えることが可能になる。
【００５６】
（１−４−３：動作（図２５））
次に、図２５を参照しながら、動作モードの設定を考慮した表示装置１００の動作について説明する。図２５に示すように、まず、表示装置１００は、角度検知部１０３の機能により、色表示部１０２の変位を検出する（Ｓ１８１）。次いで、表示装置１００は、モード切り替え部１４１の機能により、動作モードが色変更モードか否かを判定する（Ｓ１８２）。動作モードが色変更モードの場合、表示装置１００は、処理をステップＳ１８３に進める。一方、動作モードが色固定モードの場合、表示装置１００は、動作モードの設定を考慮した色表示部１０２の回転動作に伴う処理を終了する。
【００５７】
処理をステップＳ１８３に進めた場合、表示装置１００は、角度検知部１０３の機能により、基準位置（基準方向Ｓ）からの色表示部１０２の回転角度を取得する（Ｓ１８３）。次いで、表示装置１００は、色平面計算部１０４の機能により、ステップＳ１８３で取得した回転角度に対応する色相を選択する（Ｓ１８４）。次いで、表示装置１００は、色平面計算部１０４の機能により、選択した色相に対応する色平面を決定する（Ｓ１８５）。次いで、表示装置１００は、色平面計算部１０４の機能により、ステップＳ１８５で決定した色平面で色表示部１０２の表示内容を更新し（Ｓ１８６）、一連の動作を終了する。なお、色表示部１０２の変位が検出される度に、ステップＳ１８１〜Ｓ１８６の動作が実行される。
【００５８】
以上、モード切り替え機能を搭載した表示装置１００の構成及び動作について説明した。
【００５９】
［１−５：色空間変換機能を搭載した表示装置１００の構成］
次に、色空間変換機能を搭載した表示装置１００の構成について説明する。
【００６０】
（１−５−１：色空間変換機能について）
色盲の人は色の見え方が異なる。そのため、色盲の人向けに色平面の表示を変換したい場合がある。例えば、健常者用の色平面、第一色盲用の色平面、第二色盲用の色平面を相互に変換するための変換情報を変換関数又はＬｏｏｋＵｐＴａｂｌｅ（ＬＵＴ）の形で保持しておき、必要に応じて色平面の切り替えができるようにしておくことが望ましい。また、色盲用の色平面以外にも、様々な特徴を持つ色平面への変換が可能な機能を搭載しておいてもよい。さらに、予め用意された複数の色平面を組み合わせて（例えば、線形補間などで）、中間的な色平面を創り出す機能を搭載しておいてもよい。なお、各色平面を変換することは、色空間の変換に他ならないため、この機能のことを色空間変換機能と呼ぶことにする。以下では、このような色空間変換機能を搭載した表示装置１００の構成及び動作について説明する。
【００６１】
（１−５−２：機能構成（図２６））
図２６を参照しながら、色空間変換機能を搭載した表示装置１００の機能構成について説明する。図２６に示すように、この表示装置１００は、主に、基底部１０１と、色表示部１０２と、角度検知部１０３と、色平面計算部１０４と、変換情報保持部１５１と、色空間変換部１５２とを有する。角度検知部１０３は、基準方向Ｓを基準とした色表示部１０２の回転角度を検知する手段である。角度検知部１０３により検知された回転角度は、色平面計算部１０４に入力される。色平面計算部１０４は、入力された回転角度に対応する色相を選択し、選択した色相に対応する色平面を計算する。さらに、色平面計算部１０４は、計算した色平面を色表示部１０２に表示させる。
【００６２】
また、変換情報保持部１５１には、複数種類の変換情報が格納されている。例えば、変換情報保持部１５１には、健常者用の色平面を第一色盲用の色平面に変換するための変換情報や、健常者用の色平面を第二色盲用の色平面に変換するための変換情報が格納されている。そして、色平面の変換が要求された場合に、色空間変換部１５２は、要求された色平面の変換に利用する変換情報を変換情報保持部１５１から読み出し、読み出した変換情報を色平面計算部１０４に入力する。変換情報が入力された色平面計算部１０４は、入力された変換情報を利用して色平面を変換し、変換後の色平面を色表示部１０２に表示させる。
【００６３】
（１−５−３：動作１（手動切り替え）（図２７））
次に、図２７を参照しながら、色平面の変換動作について説明する。図２７に示すように、表示装置１００は、ユーザにより入力された色平面の変換要求を取得する（Ｓ１９１）。次いで、表示装置１００は、色平面計算部１０４の機能により、色空間変換部１５２により変換情報保持部１５１から読み出された変換情報を利用して色空間を変換する（Ｓ１９２）。次いで、表示装置１００は、変換後の色平面で色表示部１０２の表示内容を更新し（Ｓ１９３）、色平面の変換に関する一連の処理を終了する。
【００６４】
（１−５−４：動作２（時分割切り替え）（図２８））
図２７に示した色平面の変換動作は、ユーザによる変換要求の手動入力に基づく動作であった。しかし、図２８に示すように、時分割で複数種類の色平面が自動的に切り替わるように構成されていてもよい。この場合、まず、表示装置１００は、色平面を切り替えるタイミング（以下、変換タイミング）になったか否かを判定する（Ｓ２０１）。変換タイミングになった場合、表示装置１００は、処理をステップＳ２０２に進める。一方、変換タイミングになっていない場合、表示装置１００は、処理をステップＳ２０１に戻す。
【００６５】
処理をステップＳ２０２に進めた場合、表示装置１００は、予め決められた順序又はランダムに変換情報を選択し、選択した変換情報を用いて色平面を変換する（Ｓ２０２）。次いで、表示装置１００は、変換後の色平面で色表示部１０２の表示内容を更新する（Ｓ２０３）。次いで、表示装置１００は、色平面の変換を終了するか否かを判定する（Ｓ２０４）。例えば、ユーザにより色平面の自動変換動作を終了する操作が行われた場合、表示装置１００は、色平面の変換を終了し、色平面の変換に係る一連の処理を終了する。一方、色平面の変換を終了しない場合、表示装置１００は、処理をステップＳ２０１に戻す。
【００６６】
以上、色空間変換機能を搭載した表示装置１００の構成及び動作について説明した。
【００６７】
［１−６：画像入力機能を搭載した表示装置１００の構成］
次に、画像入力機能を搭載した表示装置１００の構成について説明する。
【００６８】
（１−６−１：画像入力機能について）
これまで、色空間を指定する方法として、色表示部１０２の回転角度を調整する方法を紹介してきた。ここでは、入力画像から色空間を自動的に指定する機能を搭載した表示装置１００の構成及び動作について説明する。
【００６９】
（１−６−２：機能構成（図２９））
図２９を参照しながら、画像入力機能を搭載した表示装置１００の機能構成について説明する。図２９に示すように、この表示装置１００は、主に、基底部１０１と、色表示部１０２と、角度検知部１０３と、色平面計算部１０４と、画像入力部１６１と、色相計算部１６２と、駆動部１６３とを有する。角度検知部１０３は、基準方向Ｓを基準とした色表示部１０２の回転角度を検知する手段である。角度検知部１０３により検知された回転角度は、色平面計算部１０４に入力される。色平面計算部１０４は、入力された回転角度に対応する色相を選択し、選択した色相に対応する色平面を計算する。さらに、色平面計算部１０４は、計算した色平面を色表示部１０２に表示させる。
【００７０】
但し、色相の選択は、色表示部１０２の回転操作により行われてもよいが、画像入力により行うことも可能である。例えば、画像入力部１６１を介して画像が入力されると、入力された画像は、色相計算部１６２に入力される。色相計算部１６２は、入力された画像を構成する各画素の色をＨＳＶ色空間にマッピングし、各画素の色相を検出する。さらに、色相計算部１６２は、色相毎の画素数を算出し、色相に関するヒストグラムを算出する。そして、色相計算部１６２は、度数が最も多い色相を選択し、選択した色相の情報を色平面計算部１０４に入力する。色平面計算部１０４は、入力された情報が示す色相に対応する色平面を計算し、計算した色平面で色表示部１０２の表示内容を更新する。
【００７１】
また、色相計算部１６２は、選択した色相に対応する色表示部１０２の回転角度を算出し、算出した回転角度の情報を駆動部１６３に入力する。回転角度の情報が入力されると、駆動部１６３は、入力された情報が示す回転角度の位置に色表示部１０２を自動的に移動させる。なお、上記の説明においては、画像入力部１６１に入力された画像全体について色相のヒストグラムを算出する構成を紹介したが、ユーザが選択した画像の一部領域について色相のヒストグラムを算出する構成に変形してもよい。
【００７２】
（１−６−３：動作（図３０、図３１））
次に、図３０を参照しながら、色相の計算方法について説明する。図３０に示すように、表示装置１００は、まず、画像を取得する（Ｓ２１１）。次いで、表示装置１００は、色相計算部１６２の機能により、ステップＳ２１１で取得した画像を構成する各画素の色をＨＳＶ色空間にマッピング（ＨＳＶ化）する（Ｓ２１２）。次いで、表示装置１００は、色相計算部１６２の機能により、色相Ｈのヒストグラムを算出する（Ｓ２１３）。次いで、表示装置１００は、色相計算部１６２の機能により、ステップＳ２１３で算出したヒストグラムに基づき、色相Ｈの度数が大きな色相を選択する（Ｓ２１４）。次いで、表示装置１００は、ステップＳ２１４で選択した色相を出力し（Ｓ２１５）、色相の計算に関する一連の処理を終了する。
【００７３】
次に、図３１を参照しながら、画像入力に応じた動作について説明する。図３１に示すように、表示装置１００は、まず、図３０に示した方法で、入力画像に基づいて色相を選択する（Ｓ２２１）。次いで、表示装置１００は、色平面計算部１０４の機能により、ステップＳ２２１で選択した色相に対応する色平面を抽出する（Ｓ２２２）。次いで、表示装置１００は、駆動部１６３の機能により、ステップＳ２２１で選択した色相（ステップＳ２２２で抽出した色平面）に対応する回転角度の位置に色表示部１０２を回転移動させる（Ｓ２２３）。次いで、表示装置１００は、ステップＳ２２２で抽出した色表面で色表示部１０２の表示内容を更新し（Ｓ２２４）、画像入力に応じた動作に関する一連の処理を終了する。
【００７４】
（１−６−４：変形例（文字入力への応用））
さて、これまで画像入力による色相の計算方法について説明してきたが、テキスト情報（文字）の入力に基づいて色相を選択できるように構成されていてもよい。例えば、色のコード情報や色の一般名称などを文字で入力できるように構成されていてもよい。また、自然文の入力に応じて言語解析が行われ、入力された自然文に含まれる色に関する情報からユーザの意図に近いと思われる色相が選択されるように構成されていてもよい。例えば、色に関する表現を尤もらしい色相に変換し、登場頻度が最も高い色相が選択されるように構成することなどが考えられる。
【００７５】
以上、画像入力機能を搭載した表示装置１００の構成及び動作について説明した。
【００７６】
以上説明したように、本実施形態に係る表示装置１００は、限られた設置空間の中で、高分解能の色空間を表現することが可能であり、さらに、高い操作性及び視認性を実現することができる。また、入力機能を搭載することで色空間から所望の色を指定するための入力装置として機能させることも可能である。なお、上記の説明において、様々な機能を紹介したが、これらの機能を任意に組み合わせることも可能である。もちろん、こうした組み合わせについても、本実施形態の技術的範囲に属することは言うまでもない。
【００７７】
＜２：第２実施形態（色平面が複数枚の場合）＞
次に、本技術の第２実施形態について説明する。本実施形態は、色平面を表示する表示デバイス（色表示部２０２）を複数枚設けた表示装置２００の構成に関する。
【００７８】
［２−１：表示装置２００の基本構成］
本実施形態に係る表示装置２００の基本構成について説明する。
【００７９】
（２−１−１：外観及び表示動作（図３２））
図３２に示すように、本実施形態に係る表示装置２００は、基底部２０１、及び、回転軸Ｐを基準に回転可能な状態で基底部２０１に接続された複数の色表示部２０２（色表示部２０２Ａ、２０２Ｂ、２０２Ｃ）を有する。図３２の例では、３枚の色表示部２０２Ａ、２０２Ｂ、２０２Ｃを有する表示装置２００の構成が示されている。なお、色表示部２０２の枚数は３枚に限定されず、２枚又は４枚以上であってもよい。また、色表示部２０２Ａ、２０２Ｂ、２０２Ｃは、それぞれ独立に回転できるように構成されていてもよいし、互いの位置が所定の回転角度以上に離れるように回転動作が制限されていてもよい。
【００８０】
なお、各色表示部２０２は、第１実施形態に係る色表示部１０２と同様、マンセル色票などの色平面を表示可能な表示デバイスである。また、各色表示部２０２としては、例えば、液晶ディスプレイや有機電界発光ディスプレイなどの薄型ディスプレイを利用することができる。さらに、各色表示部２０２の形態としては、例えば、有機薄膜トランジスタで構成されるフレキシブルディスプレイなどが適用可能である。
【００８１】
各色表示部２０２に表示される色平面は、各色表示部２０２の回転角度に応じて変化するように構成されている。具体的には、ある基準方向Ｓが設定されており、その基準方向Ｓに対する回転角度に応じて各色表示部２０２に表示される色平面が変化する。例えば、ある基準方向Ｓからの回転角度と色相とが対応付けられており、基準方向Ｓからの回転角度に応じて、その回転角度に対応する色相のマンセル色票が各色表示部２０２に表示される。
【００８２】
上記のように、表示装置２００は、各色表示部２０２の回転操作により各色表示部２０２に表示される色平面の内容を変化させる機能を有する。なお、各色表示部２０２の回転に伴って色平面が連続的に変化するように構成してもよいし、離散的に変化するように変化するように構成してもよい。また、離散的に変化するように構成する場合、その変化量（例えば、回転角度幅と色相の変化幅との対応関係）は、任意に設定することが可能である。つまり、本実施形態に係る表示装置２００は、操作性や視認性などの要素を犠牲にせずに高い分解能を実現することが可能である。以下、このような基本構成を有する表示装置２００の機能構成について、より詳細に説明する。
【００８３】
（２−１−２：機能構成（図３３））
図３３を参照しながら、基本構成を有する表示装置２００の機能構成について説明する。図３３に示すように、この表示装置２００は、主に、基底部２０１と、複数の色表示部２０２と、角度検知部２０３と、色平面計算部２０４とを有する。角度検知部２０３は、基準方向Ｓを基準とした各色表示部２０２の回転角度を検知する手段である。角度検知部２０３により検知された各色表示部２０２の回転角度は、色平面計算部２０４に入力される。色平面計算部２０４は、入力された回転角度に対応する色相を選択し、選択した色相に対応する色平面を計算する。さらに、色平面計算部２０４は、計算した色平面を該当する色表示部２０２に表示させる。
【００８４】
（２−１−３：動作（図３４））
次に、図３４を参照しながら、基本構成を有する表示装置２００の動作について説明する。図３４に示すように、まず、表示装置２００は、角度検知部２０３の機能により、各色表示部２０２の変位を検出する（Ｓ３０１）。次いで、表示装置２００は、角度検知部２０３の機能により、基準位置（基準方向Ｓ）からの各色表示部２０２の回転角度を取得する（Ｓ３０２）。次いで、表示装置２００は、色平面計算部２０４の機能により、ステップＳ３０２で取得した回転角度に対応する色相を選択する（Ｓ３０３）。次いで、表示装置２００は、色平面計算部２０４の機能により、選択した色相に対応する色平面を決定する（Ｓ３０４）。次いで、表示装置２００は、色平面計算部２０４の機能により、ステップＳ３０４で決定した色平面で各色表示部２０２の表示内容を更新し（Ｓ３０５）、一連の動作を終了する。なお、色表示部２０２の変位が検出される度に、ステップＳ３０１〜Ｓ３０５の動作が実行される。
【００８５】
以上、基本構成を有する表示装置２００の構成及び動作について説明した。
【００８６】
［２−２：モード切り替え機能を搭載した表示装置２００の構成］
次に、モード切り替え機能を搭載した表示装置２００の構成について説明する。
【００８７】
（２−２−１：モード切り替え機能について）
これまでは各色表示部２０２の回転角度に応じて色平面が変化する構成について説明してきた。しかし、所望の色平面が得られた場合、その色平面の表示を固定しておきたい場合がある。特に、１つの色表示部２０２で色平面を固定しておき、他の色表示部２０２を移動させながら、色平面の比較を行いたい場合がある。そのような場合に、何らかの理由により固定したい色平面が表示された色表示部２０２が回転し、色平面が変化してしまうのは好ましくない。そこで、本件発明者は、色表示部２０２の回転に応じて色平面を変化させることが可能な色変更モードと、色表示部２０２の回転にかかわらず色平面が固定される色固定モードとを利用して色平面の変化を制御する方法を考案した。以下、このモード切り替え機能を搭載した表示装置１００の構成及び動作について説明する。
【００８８】
（２−２−２：機能構成（図３５））
図３５を参照しながら、モード切り替え機能を搭載した表示装置２００の機能構成について説明する。図３５に示すように、この表示装置２００は、主に、基底部２０１と、複数の色表示部２０２と、角度検知部２０３と、色平面計算部２０４と、モード制御部２１１とを有する。角度検知部２０３は、基準方向Ｓを基準とした各色表示部２０２の回転角度を検知する手段である。角度検知部２０３により検知された各色表示部２０２の回転角度は、色平面計算部２０４に入力される。色平面計算部２０４は、入力された回転角度に対応する色相を選択し、選択した色相に対応する色平面を計算する。さらに、色平面計算部２０４は、計算した色平面を該当する色表示部２０２に表示させる。
【００８９】
また、モード制御部２１１は、ある色表示部２０２を対象に動作モードが色変更モードに設定された場合、他の色表示部２０２の動作モードを色固定モードに設定する。そして、モード制御部２１１は、色固定モードに設定された色表示部２０２に関する動作モードを通知するための通知信号を対象の色表示部２０２、角度検知部２０３、及び色平面計算部２０４に入力し、対象の色表示部２０２の回転に応じて色平面が変化しないように制御する。一方で、モード制御部２１１は、色変更モードに設定された色表示部２０２に関する動作モードを通知するための通知信号を対象の色表示部２０２、角度検知部２０３、及び色平面計算部２０４に入力し、対象の色表示部２０２の回転に応じて当該色表示部２０２の色平面が変化するように制御する。
【００９０】
このように、動作モードを制御できるようにすることで、基準としたい色平面を固定しておき、色表示部２０２を移動させながら、色平面の比較を容易に行うことが可能になる。
【００９１】
（２−２−３：動作（図３６））
次に、図３６を参照しながら、動作モードの設定を考慮した表示装置２００の動作について説明する。図３６に示すように、まず、表示装置２００は、角度検知部２０３の機能により、各色表示部２０２の変位を検出する（Ｓ３１１）。次いで、表示装置２００は、モード制御部２１１の機能により、変位した色表示部２０２を色変更モードに設定し、他の色表示部２０２を色固定モードに設定する（Ｓ３１２）。なお、色変更モード及び色固定モードの設定は、ステップＳ３１２のように自動的に行われるようにしてもよいし、ユーザ入力により手動で行われるようにしてもよい。ここでは、自動的に動作モードの設定が行われる場合の動作例を紹介する。
【００９２】
次いで、表示装置２００は、角度検知部２０３の機能により、色変更モードに設定された色表示部２０２の回転角度を取得する（Ｓ３１３）。次いで、表示装置２００は、色平面計算部２０４の機能により、ステップＳ３１３で取得された回転角度に対応する色相を選択する（Ｓ３１４）。次いで、表示装置２００は、色平面計算部２０４の機能により、ステップＳ３１４で選択された色相に対応する色平面を決定する（Ｓ３１５）。次いで、表示装置２００は、色変更モードに設定された色表示部２０２の表示内容をステップＳ３１５で決定された色平面で更新し（Ｓ３１６）、動作モードの設定を考慮した表示装置２００の動作に係る一連の処理を終了する。
【００９３】
以上、モード切り替え機能を搭載した表示装置２００の構成及び動作について説明した。
【００９４】
［２−３：各種機能の組み合わせ］
ここで、上記の第１実施形態において説明した各種機能を本実施形態に係る表示装置２００に組み合わせる方法について説明する。
【００９５】
（２−３−１：入力機能との組み合わせ）
まず、入力機能との組み合わせについて説明する。入力機能との組み合わせは、表示装置２００にタッチパネルのような入力デバイスを搭載することで実現可能である。また、図１１及び図１２に例示した色情報の表示や、図１３〜図１６に示した色指定時の表示動作なども、そのまま表示装置２００において実現することが可能である。さらに、表示装置２００に履歴管理部１２２や駆動部１２３と同等の機能を搭載することで、図１７〜図１９に示した履歴機能を表示装置２００に追加することが可能である。そして、図２０に示した外部出力機能も、色表示部２０２の機能を拡張することで追加可能である。また、複数の色が指定された場合に指定された色を混色する混色機能も表示装置２００に追加可能である。このように、第１実施形態に係る表示装置１００の入力機能は、同様にして表示装置２００に組み合わせることが可能である。
【００９６】
（２−３−２：分解能切り替え機能との組み合わせ）
次に、分解能切り替え機能との組み合わせについて説明する。分解能切り替え機能との組み合わせは、第１実施形態に係る分解能入力部１３２と同等の機能を表示装置２００に追加することで実現可能である。また、分解能の切り替え対象とする色表示部２０２を指定し、指定した色表示部２０２の分解能だけを切り替える機能を追加することも可能である。さらに、複数の色表示部２０２を色固定モードに設定し、複数の色表示部２０２に同じ色平面を表示させ、互いに異なる分解能で表示できるように構成することも可能である。また、複数の色表示部２０２に表示された色平面の分解能を１回の操作で同じに揃える機能を搭載していてもよい。このように、第１実施形態に係る表示装置１００の分解能切り替え機能は、同様にして表示装置２００に組み合わせることが可能である。
【００９７】
（２−３−３：色空間変換機能との組み合わせ）
次に、色空間変換機能との組み合わせについて説明する。色空間変換機能との組み合わせは、第１実施形態に係る変換情報保持部１５１及び色空間変換部１５２と同等の機能を表示装置２００に追加することで実現可能である。また、色空間変換機能の対応とする色表示部２０２を指定し、指定した色表示部２０２の色平面だけを変換する機能を追加することも可能である。さらに、複数の色表示部２０２を色固定モードに設定し、複数の色表示部２０２に同じ色平面を表示させ、互いに異なる変換情報で変換された色平面を表示できるように構成することも可能である。また、複数の色表示部２０２に表示された色平面を１回の操作で同じ変換情報で変換された色平面に揃える機能を搭載していてもよい。このように、第１実施形態に係る表示装置１００の色空間変換機能は、同様にして表示装置２００に組み合わせることが可能である。
【００９８】
（２−３−４：画像入力機能との組み合わせ）
次に、画像入力機能との組み合わせについて説明する。画像入力機能との組み合わせは、第１実施形態に係る画像入力部１６１及び色相計算部１６２と同等の機能を表示装置２００に追加することで実現可能である。但し、画像を入力する際に、入力画像に基づいて選択された色相を適用する色表示部２０２を指定しておく仕組みが必要になる。例えば、選択された色相に対応する回転角度に最も近い位置にある色表示部２０２が選択され、その色表示部２０２の表示内容が更新されるようにする仕組みが考えられる。また、表示内容を更新する色表示部２０２をユーザが予め設定しておく仕組みとしてもよい。さらに、色変更モードに設定された色表示部２０２の表示内容が自動的に更新されるように構成されていてもよい。このように、第１実施形態に係る表示装置１００の画像入力機能は、同様にして表示装置２００に組み合わせることが可能である。
【００９９】
以上、上記の第１実施形態において説明した各種機能を本実施形態に係る表示装置２００に組み合わせる方法について説明した。
【０１００】
＜３：ハードウェア構成例＞
上記の表示装置１００、２００が有する制御機能及び演算機能は、例えば、図３７に示すハードウェア構成を用いて実現することが可能である。つまり、当該各構成要素の制御機能及び演算機能は、コンピュータプログラムを用いて図３７に示すハードウェアを制御することにより実現される。
【０１０１】
図３７に示すように、このハードウェアは、主に、ＣＰＵ９０２と、ＲＯＭ９０４と、ＲＡＭ９０６と、ホストバス９０８と、ブリッジ９１０と、を有する。さらに、このハードウェアは、外部バス９１２と、インターフェース９１４と、入力部９１６と、出力部９１８と、記憶部９２０と、ドライブ９２２と、接続ポート９２４と、通信部９２６と、を有する。但し、上記のＣＰＵは、Ｃｅｎｔｒａｌ  Ｐｒｏｃｅｓｓｉｎｇ  Ｕｎｉｔの略である。また、上記のＲＯＭは、Ｒｅａｄ  Ｏｎｌｙ  Ｍｅｍｏｒｙの略である。そして、上記のＲＡＭは、Ｒａｎｄｏｍ  Ａｃｃｅｓｓ  Ｍｅｍｏｒｙの略である。
【０１０２】
ＣＰＵ９０２は、例えば、演算処理装置又は制御装置として機能し、ＲＯＭ９０４、ＲＡＭ９０６、記憶部９２０、又はリムーバブル記録媒体９２８に記録された各種プログラムに基づいて各構成要素の動作全般又はその一部を制御する。ＲＯＭ９０４は、ＣＰＵ９０２に読み込まれるプログラムや演算に用いるデータ等を格納する手段である。ＲＡＭ９０６には、例えば、ＣＰＵ９０２に読み込まれるプログラムや、そのプログラムを実行する際に適宜変化する各種パラメータ等が一時的又は永続的に格納される。
【０１０３】
これらの構成要素は、例えば、高速なデータ伝送が可能なホストバス９０８を介して相互に接続される。一方、ホストバス９０８は、例えば、ブリッジ９１０を介して比較的データ伝送速度が低速な外部バス９１２に接続される。また、入力部９１６としては、例えば、マウス、キーボード、タッチパネル、ボタン、スイッチ、及びレバー等が用いられる。さらに、入力部９１６としては、赤外線やその他の電波を利用して制御信号を送信することが可能なリモートコントローラが用いられることもある。
【０１０４】
出力部９１８としては、例えば、ＣＲＴ、ＬＣＤ、ＰＤＰ、又はＥＬＤ等のディスプレイ装置、スピーカ、ヘッドホン等のオーディオ出力装置、プリンタ、携帯電話、又はファクシミリ等、取得した情報を利用者に対して視覚的又は聴覚的に通知することが可能な装置である。但し、上記のＣＲＴは、Ｃａｔｈｏｄｅ  Ｒａｙ  Ｔｕｂｅの略である。また、上記のＬＣＤは、Ｌｉｑｕｉｄ  Ｃｒｙｓｔａｌ  Ｄｉｓｐｌａｙの略である。そして、上記のＰＤＰは、Ｐｌａｓｍａ  ＤｉｓｐｌａｙＰａｎｅｌの略である。さらに、上記のＥＬＤは、Ｅｌｅｃｔｒｏ−Ｌｕｍｉｎｅｓｃｅｎｃｅ  Ｄｉｓｐｌａｙの略である。
【０１０５】
記憶部９２０は、各種のデータを格納するための装置である。記憶部９２０としては、例えば、ハードディスクドライブ（ＨＤＤ）等の磁気記憶デバイス、半導体記憶デバイス、光記憶デバイス、又は光磁気記憶デバイス等が用いられる。但し、上記のＨＤＤは、Ｈａｒｄ  Ｄｉｓｋ  Ｄｒｉｖｅの略である。
【０１０６】
ドライブ９２２は、例えば、磁気ディスク、光ディスク、光磁気ディスク、又は半導体メモリ等のリムーバブル記録媒体９２８に記録された情報を読み出し、又はリムーバブル記録媒体９２８に情報を書き込む装置である。リムーバブル記録媒体９２８は、例えば、ＤＶＤメディア、Ｂｌｕ−ｒａｙ（登録商標）メディア、ＨＤ  ＤＶＤメディア、各種の半導体記憶メディア等である。もちろん、リムーバブル記録媒体９２８は、例えば、非接触型ＩＣチップを搭載したＩＣカード、又は電子機器等であってもよい。但し、上記のＩＣは、Ｉｎｔｅｇｒａｔｅｄ  Ｃｉｒｃｕｉｔの略である。
【０１０７】
接続ポート９２４は、例えば、ＵＳＢポート、ＩＥＥＥ１３９４ポート、ＳＣＳＩ、ＲＳ−２３２Ｃポート、又は光オーディオ端子等のような外部接続機器９３０を接続するためのポートである。外部接続機器９３０は、例えば、プリンタ、携帯音楽プレーヤ、デジタルカメラ、デジタルビデオカメラ、又はＩＣレコーダ等である。但し、上記のＵＳＢは、Ｕｎｉｖｅｒｓａｌ  Ｓｅｒｉａｌ  Ｂｕｓの略である。また、上記のＳＣＳＩは、Ｓｍａｌｌ  Ｃｏｍｐｕｔｅｒ  Ｓｙｓｔｅｍ  Ｉｎｔｅｒｆａｃｅの略である。
【０１０８】
通信部９２６は、ネットワーク９３２に接続するための通信デバイスであり、例えば、有線又は無線ＬＡＮ、Ｂｌｕｅｔｏｏｔｈ（登録商標）、又はＷＵＳＢ用の通信カード、光通信用のルータ、ＡＤＳＬ用のルータ、又は各種通信用のモデム等である。また、通信部９２６に接続されるネットワーク９３２は、有線又は無線により接続されたネットワークにより構成され、例えば、インターネット、家庭内ＬＡＮ、赤外線通信、可視光通信、放送、又は衛星通信等である。但し、上記のＬＡＮは、Ｌｏｃａｌ  Ａｒｅａ  Ｎｅｔｗｏｒｋの略である。また、上記のＷＵＳＢは、Ｗｉｒｅｌｅｓｓ  ＵＳＢの略である。そして、上記のＡＤＳＬは、Ａｓｙｍｍｅｔｒｉｃ  Ｄｉｇｉｔａｌ  Ｓｕｂｓｃｒｉｂｅｒ  Ｌｉｎｅの略である。
【０１０９】
＜４：まとめ＞
最後に、本実施形態の技術的思想について簡単に纏める。以下に記載する技術的思想は、例えば、ＰＣ、携帯電話、ゲーム機、情報端末、情報家電、カーナビゲーションシステム等、種々の情報処理装置と組み合わせて用いることができる。
【０１１０】
上記の技術的思想は以下のように表現することができる。
【０１１１】
（１）
表色系を構成する３つの属性値のうち、第１及び第２の属性値で表現される色平面を表示する色表示部と、
前記色表示部が回転可能な状態で接続された基底部と、
前記色表示部の回転角度に応じて前記色平面を変化させる表示制御部と、
を備える、
表示装置。
【０１１２】
上記（１）の構成を適用すると、色表示部の回転に応じて連続的に色平面を変化させることが可能になる。また、色表示部の回転に応じて離散的に色平面を変化させる場合でも、その離散値の細かさを調整することにより分解能を任意に調整することが可能になる。もちろん、上記の構成を適用した場合、分解能を高くしても、表示装置のサイズが変わらない。そのため、省スペースで高分解能の色空間を表現することが可能になる。また、色表示部の回転という直感的な操作により色平面を変化させることができるため、高い操作性が実現される。さらに、色表示部の回転により３次元的な色空間がイメージしやすくなるため、所望の色を検索する際の検索性も向上する。
【０１１３】
（２）
前記色表示部の回転角度は、前記第１及び第２の属性値とは異なる前記第３の属性値に対応付けられており、
前記表示制御部は、前記色表示部の回転角度に対応する前記第３の属性値を検出し、検出した前記第３の属性値に対応する色空間を前記色表示部に表示させる、
上記（１）に記載の表示装置。
【０１１４】
（３）
前記色表示部に表示された色平面内の領域に触れることで当該色平面内の領域に対応する色を指定することが可能な入力部をさらに備える、
上記（１）又は（２）に記載の表示装置。
【０１１５】
（４）
前記表示制御部は、前記入力部を介して色が指定された場合に、指定された色に関する情報を前記色表示部に表示させる、
上記（３）に記載の表示装置。
【０１１６】
（５）
前記表示制御部は、ユーザにより分解能が指定された場合に、前記色平面の分解能を指定された分解能に変更する、
上記（１）〜（４）のいずれか１項に記載の表示装置。
【０１１７】
（６）
前記色表示部は、動作モードとして色変更モードと色固定モードとを有し、
前記色表示部が色固定モードの場合、前記表示制御部は、前記色表示部の回転角度が変更されても前記色平面を変化させない、
上記（１）〜（５）のいずれか１項に記載の表示装置。
【０１１８】
（７）
前記表示装置は、互いに独立して回転可能な複数の前記色表示部を備え、
前記表示制御部は、前記各色表示部の回転角度に応じて当該各色表示部に表示される色平面を変化させる、
上記（１）に記載の表示装置。
【０１１９】
（８）
前記各色表示部は、動作モードとして色変更モードと色固定モードとを有し、
１つの前記色表示部が色変更モードの場合、他の前記色表示部が色固定モードに設定され、前記表示制御部は、前記色固定モードに設定された前記他の色表示部の回転角度が変更されても当該他の色表示部に表示された色平面を変化させない、
上記（７）に記載の表示装置。
【０１２０】
（９）
一の色平面を見え方の異なる他の色平面に変換するための一又は複数の変換情報を保持する変換情報保持部をさらに備え、
前記変換情報が選択された場合に、前記表示制御部は、選択された前記変換情報を利用して変換した色平面を前記色表示部に表示させる、
上記（１）〜（８）のいずれか１項に記載の表示装置。
【０１２１】
（１０）
一の色平面を見え方の異なる他の色平面に変換するための一又は複数の変換情報を保持する変換情報保持部をさらに備え、
前記表示制御部は、所定のタイミングで前記変換情報を変更しながら、当該変換情報を利用して変換した色平面を前記色表示部に表示させる、
上記（１）〜（８）のいずれか１項に記載の表示装置。
【０１２２】
（１１）
前記基底部は、前記色表示部を一定速度で回転させる駆動機構を有する、
上記（１）〜（１０）のいずれか１項に記載の表示装置。
【０１２３】
（１２）
前記入力部を介して色が指定された場合に、指定された色に関する情報を外部の機器に提供するための色情報提供部をさらに備える、
上記（３）に記載の表示装置。
【０１２４】
（１３）
透明度を表すアルファ値が用意された場合に、前記表示制御部は、当該アルファ値を考慮した色平面を前記色表示部に表示させる、
上記（１）〜（１２）のいずれか１項に記載の表示装置。
【０１２５】
（１４）
前記入力部を介して色が指定された場合に、前記表示制御部は、指定された色以外の色を非表示にするか、或いは、指定された色の表示位置を変更するように前記色表示部を制御する、
上記（３）に記載の表示装置。
【０１２６】
（１５）
前記入力部を介して指定された色の履歴を保持する履歴保持部をさらに備え、
前記基底部は、前記色の履歴から色が選択された場合に、選択された色を含む色平面に対応する回転角度の位置に前記色表示部を移動させる駆動機構を有し、
前記表示制御部は、前記選択された色を含む色平面を前記色表示部に表示させる、
上記（３）に記載の表示装置。
【０１２７】
（１６）
画像を入力するための画像入力部と、
入力された画像の中で最も出現頻度の高い色相を抽出する画像解析部と、
前記最も出現頻度の高い色相に対応する色平面を選択する色平面選択部と、
をさらに備え、
前記表示制御部は、前記色平面選択部により選択された色平面を前記色表示部に表示させる、
上記（１）に記載の表示装置。
【０１２８】
（１７）
表色系を構成する３つの属性値のうち、第１及び第２の属性値で表現される色平面を表示する色表示部と、前記色表示部が回転可能な状態で接続された基底部と、を有する表示装置が、前記色表示部の回転角度に応じて前記色平面を変化させることを含む、
表示方法。
【０１２９】
（備考）
上記の角度検知部１０３、２０３、色平面計算部１０４、２０４、色表示部１０２、２０２、２０２Ａ、２０２Ｂ、２０２Ｃ、履歴管理部１２２、モード切り替え部１４１、色空間変換部１５２、モード制御部２１１は、表示制御部の一例である。上記のタッチパネル１２１、１３１は、入力部の一例である。上記の色表示部１０２、２０２、２０２Ａ、２０２Ｂ、２０２Ｃは、色情報提供部の一例である。上記の駆動部１１１、１２３、１６３は、駆動機構の一例である。上記の色相計算部１６２は、画像解析部の一例である。上記の色平面計算部１０４、２０４は、色平面選択部の一例である。
【０１３０】
以上、添付図面を参照しながら本技術に係る好適な実施形態について説明したが、本技術はここで開示した構成例に限定されないことは言うまでもない。当業者であれば、特許請求の範囲に記載された範疇内において、各種の変更例又は修正例に想到し得ることは明らかであり、それらについても当然に本技術の技術的範囲に属するものと了解される。
【０１３１】
例えば、上記説明において、入力デバイスの一例としてタッチパネルを紹介したが、キーボード、マウス、タッチパッド、リモートコントローラなど、様々な操作機器を入力デバイスとして利用することができる。また、適用可能な色空間の一例としてマンセル表色系を示したが、その他の表色系についても同様に適用可能である。また、回転角度と色相とを対応付け、彩度及び明度で形成される色平面を表示する構成を例示したが、表色系を構成する任意の１つの属性値を回転角度に対応付け、他の２つの属性値で形成される色平面を表示する別の構成に変形してもよい。
【０１３２】
また、分解能の指定方法については、例えば、「彩度をｎ単位毎に表示」や「明度をｍ分割で表示」などと指定する仕組みにしてもよい。また、色表示部１０２、２０２は、任意のディスプレイデバイスで構成することが可能であるが、軽量なディスプレイデバイスで構成されていることが好ましい。また、色情報を表示するトリガーとして、タッチパネル１２１、１３１に対する押圧力が閾値を越えた場合を例示することができる。この場合、タッチパネル１２１、１３１として押圧力を検知可能なタッチパネルデバイスが利用される。あた、色表示部１０２、２０２として透明ディスプレイを利用する場合、透明度を表すアルファ値を考慮した表現が可能である。
【０１３３】
また、ランダムに色平面を表示する機能や、色表示部１０２、２０２がランダムに回転する動作などが表示装置１００、２００の動作としてプログラムされていてもよい。また、回転角度に応じた色平面を表示しながら色表示部１０２、２０２を高速回転することにより、残像を利用した３次元的な色空間を表現する機能を表示装置１００、２００に組み込んでもよい。また、複数枚の色表示部２０２を等角度間隔で自動配置したり、所定の設定角度に自動配置したりする駆動制御機能を表示装置２００に組み込んでもよい。こうした機能の組み合わせについても、本技術の実施形態に係る技術的範囲に属する。
【符号の説明】
【０１３４】
１００、２００    表示装置
１０１、２０１    基底部
１０２、２０２、２０２Ａ、２０２Ｂ、２０２Ｃ    色表示部
１０３、２０３    角度検知部
１０４、２０４    色平面計算部
１１１、１２３、１６３    駆動部
１２１、１３１    タッチパネル
１２２    履歴管理部
１３２    分解能入力部
１４１    モード切り替え部
１５１    変換情報保持部
１５２    色空間変換部
１６１    画像入力部
１６２    色相計算部
２１１    モード制御部
【図２】
2013168517.tif 000003
【図５】
2013168517.tif 000004
【図６】
2013168517.tif 000005
【図７】
2013168517.tif 000006
【図８】
2013168517.tif 000007
【図９】
2013168517.tif 000008
【図１０】
2013168517.tif 000009
【図１１】
2013168517.tif 000010
【図１３】
2013168517.tif 000011
【図１５】
2013168517.tif 000012
【図１７】
2013168517.tif 000013
【図１８】
2013168517.tif 000014
【図１９】
2013168517.tif 000015
【図２０】
2013168517.tif 000016
【図２１】
2013168517.tif 000017
【図２２】
2013168517.tif 000018
【図２４】
2013168517.tif 000019
【図２５】
2013168517.tif 000020
【図２６】
2013168517.tif 000021
【図２７】
2013168517.tif 000022
【図２８】
2013168517.tif 000023
【図２９】
2013168517.tif 000024
【図３０】
2013168517.tif 000025
【図３１】
2013168517.tif 000026
【図３２】
2013168517.tif 000027
【図３３】
2013168517.tif 000028
【図３４】
2013168517.tif 000029
【図３５】
2013168517.tif 000030
【図３６】
2013168517.tif 000031
【図３７】
2013168517.tif 000032
【図１】
2013168517.tif 000033
【図３】
2013168517.tif 000034
【図４】
2013168517.tif 000035
【図１２】
2013168517.tif 000036
【図１４】
2013168517.tif 000037
【図１６】
2013168517.tif 000038
【図２３】
2013168517.tif 000039
【国際調査報告】
2013168517.tif 000040
2013168517.tif 000041
2013168517.tif 000042
2013168517.tif 000043